(57)【要約】  本発明の一実施形態は、デジタル動画コンテンツをプレビューするために使用可能な、参照テーブルを生成するシステムを提供する。操作中、該システムは、デジタル動画ワークフローのための分析モデル（５００）を受信する。次に、該システムは、一連の入力ピクセル値を選択する。そして、該システムは、該一連の入力ピクセル値及び該分析モデルを使用して、一連の出力ピクセル値を決定する。最後に、該システムは、該一連の入力ピクセル値を該一連の出力ピクセル値に関連付けることによって、該参照テーブルを生成する。該分析モデルは、該デジタル動画ワークフローの多様な段階を捕捉する多くのモデルを備える。これらのモデルは、レコーダモデル（５０２）、ネガフィルムモデル（５０４）、プリンタモデル（５０６）、ポジフィルムモデル（５０８）、及びプロジェクタモデル（５１０）を含むことが可能である。
2009526330.tif 000002
【特許請求の範囲】
【請求項１】
デジタル画像ワークフローのための分析モデルを受信するステップと、
一連の入力ピクセル値を選択するステップと、
前記一連の入力ピクセル値及び前記分析モデルを使用して、一連の出力ピクセル値を決定するステップと、
前記一連の入力ピクセル値を前記一連の出力ピクセル値に関連付けることによって、参照テーブルを生成するステップと、を備え、
前記参照テーブルはデジタル画像コンテンツをプレビューするために使用される、方法。
【請求項２】
前記分析モデルは、
デジタル画像ファイルに含まれる視覚情報をカラーネガフィルムに記録するレコーダの動作をモデル化するレコーダモデルと、
前記カラーネガフィルムが前記レコーダによって露光される際の、前記カラーネガフィルムの動作をモデル化するネガフィルムモデルと、
前記カラーネガフィルムに含まれている前記視覚情報を、カラーポジフィルムに印刷するプリンタの動作をモデル化するプリンタモデルと、
前記カラーポジフィルムが前記プリンタによって露光される際の、前記カラーポジフィルムの動作をモデル化するポジフィルムモデルと、
前記ポジフィルムに含まれる前記視覚情報を劇場画面に投影するフィルムプロジェクタの動作をモデル化するプロジェクタモデルと、を備える、請求項１に記載の方法。
【請求項３】
前記ネガフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、によって決定される、前記ネガフィルムのための特性曲線を使用する、請求項２に記載の方法。
【請求項４】
前記ポジフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、
によって決定される、前記ポジフィルムのための特性曲線を使用する、請求項２に記載の方法。
【請求項５】
前記入力ピクセル値はＤＰＸ形式であり、
前記出力ピクセル値はＣＩＥＬＡＢ色空間である、請求項１に記載の方法。
【請求項６】
前記参照テーブルは、ＩＣＣプロファイルを使用して表される、請求項１に記載の方法。
【請求項７】
デジタル画像ワークフローのための分析モデルを使用して生成された参照テーブルを受信するステップと、
デジタル画像コンテンツを含む入力デジタル画像ファイルを受信するステップと、
前記入力デジタル画像ファイルの前記ピクセル値と前記参照テーブルを使用して、前記デジタル画像コンテンツのプレビューを生成するステップと、
を備える、方法。
【請求項８】
前記参照テーブルは、
前記デジタル画像ワークフローのための前記分析モデルを受信することと、
一連の入力ピクセル値を選択することと、
前記一連の入力ピクセル値及び前記分析モデルを使用して、一連の出力ピクセル値を決定することと、
前記一連の入力ピクセル値を前記一連の出力ピクセル値に関連付けることによって、前記参照テーブルを生成すること、
によって生成される、請求項７に記載の方法。
【請求項９】
前記分析モデルは、
デジタル画像ファイルに含まれる視覚情報をカラーネガフィルムに記録するレコーダの動作をモデル化するレコーダモデルと、
前記カラーネガフィルムが前記レコーダによって露光される際の、前記カラーネガフィルムの動作をモデル化するネガフィルムモデルと、
前記カラーネガフィルムに含まれている前記視覚情報を、カラーポジフィルムに印刷するプリンタの動作をモデル化するプリンタモデルと、
前記カラーポジフィルムが前記プリンタによって露光される際の、前記カラーポジフィルムの動作をモデル化するポジフィルムモデルと、
前記ポジフィルムに含まれる前記視覚情報を劇場画面に投影するフィルムプロジェクタの動作をモデル化するプロジェクタモデルと、
を備える、請求項７に記載の方法。
【請求項１０】
前記ネガフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、
によって決定される、前記ネガフィルムのための特性曲線を使用する、請求項９に記載の方法。
【請求項１１】
前記ポジフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、
によって決定される、前記ポジフィルムのための特性曲線を使用する、請求項９に記載の方法。
【請求項１２】
前記参照テーブルは、ＩＣＣプロファイルを使用して表される、請求項７に記載の方法。
【請求項１３】
コンピュータによって実行される際に、
デジタル画像ワークフローのための分析モデルを受信するステップと、
一連の入力ピクセル値を選択するステップと、
前記一連の入力ピクセル値及び前記分析モデルを使用して、一連の出力ピクセル値を決定するステップと、
前記一連の入力ピクセル値を前記一連の出力ピクセル値に関連付けることによって、参照テーブルを生成するステップとを備え、
前記参照テーブルはデジタル画像コンテンツをプレビューするために使用することができる方法を前記コンピュータに実行させる命令を格納する、コンピュータ可読記憶媒体。
【請求項１４】
前記分析モデルは、
デジタル画像ファイルに含まれる視覚情報をカラーネガフィルムに記録するレコーダの動作をモデル化するレコーダモデルと、
前記カラーネガフィルムが前記レコーダによって露光される際の、前記カラーネガフィルムの動作をモデル化するネガフィルムモデルと、
前記カラーネガフィルムに含まれている前記視覚情報を、カラーポジフィルムに印刷するプリンタの動作をモデル化するプリンタモデルと、
前記カラーポジフィルムが前記プリンタによって露光される際の、前記カラーポジフィルムの動作をモデル化するポジフィルムモデルと、
前記ポジフィルムに含まれる前記視覚情報を劇場画面に投影するフィルムプロジェクタの動作をモデル化するプロジェクタモデルと、
を備える、請求項１３に記載のコンピュータ可読記憶媒体。
【請求項１５】
前記ネガフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、
によって決定される、前記ネガフィルムのための特性曲線を使用する、請求項１４に記載のコンピュータ可読記憶媒体。
【請求項１６】
前記ポジフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、
によって決定される、前記ポジフィルムのための特性曲線を使用する、請求項１４に記載のコンピュータ可読記憶媒体。
【請求項１７】
前記入力ピクセル値はＤＰＸ形式であり、
前記出力ピクセル値はＣＩＥＬＡＢ色空間である、
請求項１３に記載のコンピュータ可読記憶媒体。
【請求項１８】
前記参照テーブルは、ＩＣＣプロファイルを使用して表される、請求項１３に記載のコンピュータ可読記憶媒体。
【請求項１９】
コンピュータによって実行される際に、
デジタル画像ワークフローのための分析モデルを使用して生成された参照テーブルを受信するステップと、
デジタル画像コンテンツを含む入力デジタル画像ファイルを受信するステップと、
前記入力デジタル画像ファイルの前記ピクセル値と前記参照テーブルを使用して、前記デジタル画像コンテンツのプレビューを生成するステップと、
を備える、方法を前記コンピュータに実行させる命令を格納する、コンピュータ可読記憶媒体。
【請求項２０】
前記参照テーブルは、
前記デジタル画像ワークフローのための前記分析モデルを受信することと、
一連の入力ピクセル値を選択することと、
前記一連の入力ピクセル値及び前記分析モデルを使用して、一連の出力ピクセル値を決定することと、
前記一連の入力ピクセル値を前記一連の出力ピクセル値に関連付けることによって、前記参照テーブルを生成すること、
によって生成される、請求項１９に記載のコンピュータ可読記憶媒体。
【請求項２１】
前記分析モデルは、
デジタル画像ファイルに含まれる視覚情報をカラーネガフィルムに記録するレコーダの動作をモデル化するレコーダモデルと、
前記カラーネガフィルムが前記レコーダによって露光される際の、前記カラーネガフィルムの動作をモデル化するネガフィルムモデルと、
前記カラーネガフィルムに含まれている前記視覚情報を、カラーポジフィルムに印刷するプリンタの動作をモデル化するプリンタモデルと、
前記カラーポジフィルムが前記プリンタによって露光される際の、前記カラーポジフィルムの動作をモデル化するポジフィルムモデルと、
前記ポジフィルムに含まれる前記視覚情報を劇場画面に投影するフィルムプロジェクタの動作をモデル化するプロジェクタモデルと、
を備える、請求項１９に記載のコンピュータ可読記憶媒体。
【請求項２２】
前記ネガフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、
によって決定される、前記ネガフィルムのための特性曲線を使用する、請求項２１に記載のコンピュータ可読記憶媒体。
【請求項２３】
前記ポジフィルムモデルは、
分光色素濃度曲線、ピクセル値及び濃度値を受信することと、
前記分光色素濃度曲線を使用して、状態濃度値と色素量との間の関係を決定することと、
前記ピクセル値と前記濃度値を使用して、前記関係を較正すること、
によって決定される、前記ポジフィルムのための特性曲線を使用する、請求項２１に記載のコンピュータ可読記憶媒体。
【請求項２４】
前記参照テーブルは、ＩＣＣプロファイルを使用して表される、請求項１９に記載のコンピュータ可読記憶媒体。
【請求項２５】
コンピュータによって実行される際に、
デジタル画像ワークフローのための分析モデルを受信するステップと、
デジタル画像コンテンツを含む入力デジタル画像ファイルを受信するステップと、
前記入力デジタル画像ファイルの前記ピクセル値と前記分析モデルを使用して、前記デジタル画像コンテンツのプレビューを生成するステップと、
を備える方法を、前記コンピュータに実行させる命令を格納する、コンピュータ可読記憶媒体。
【請求項２６】
前記分析モデルは、
デジタル画像ファイルに含まれる視覚情報をカラーネガフィルムに記録するレコーダの動作をモデル化するレコーダモデルと、
前記カラーネガフィルムが前記レコーダによって露光される際の、前記カラーネガフィルムの動作をモデル化するネガフィルムモデルと、
前記カラーネガフィルムに含まれている前記視覚情報を、カラーポジフィルムに印刷するプリンタの動作をモデル化するプリンタモデルと、
前記カラーポジフィルムが前記プリンタによって露光される際の、前記カラーポジフィルムの動作をモデル化するポジフィルムモデルと、
前記ポジフィルムに含まれる前記視覚情報を劇場画面に投影するフィルムプロジェクタの動作をモデル化するプロジェクタモデルと、
を備える、請求項２５に記載のコンピュータ可読記憶媒体。
【発明の詳細な説明】
【技術分野】
【０００１】
本発明は、デジタル画像を操作するための技法に関する。より具体的には、本発明は、デジタル動画のコンテンツをプレビューするための方法及び装置に関する。
【関連技術】
【０００２】
コンピュータシステムがさらに強力になるにつれて、コンピュータシステムは計算上負荷のかかる画像処理タスクにますます使用されている。特に、動画業界は、フィルムを変更したり、プレビューするためにコンピュータシステムにますます依存している。
【０００３】
図１は、デジタル動画ワークフローを説明するフローチャートを示す。
【０００４】
典型的なデジタル動画ワークフローは、場面１０２がカメラによってネガフィルム１０４上に捕捉されて開始する。次に、カメラのネガフィルム１０４がスキャンされて、デジタル画像ファイル１０６を作成する。デジタル画像ファイルは多くのファイル形式に符号化できることに注意する。たとえば、デジタル画像ファイルはＤＰＸ／Ｃｉｎｅｏｎファイルにすることが可能である。
【０００５】
その後、デジタル画像ファイルをコンピュータシステム上で編集して、ネガフィルム１１０に記録する。次に、ネガフィルム１００を処理してポジプリントフィルム１１２を作成する。最終的に、ポジプリントフィルムは、劇場内で投影することによって、劇場画面１１４に表示される。
【０００６】
コンピュータシステム上でデジタル画像ファイルを編集することによって、劇場（又は映画館）の画面に投影される際、編集した場面の様子に悪影響が及ぶ可能性がある。特に、編集処理中に追加又は操作された場面又は特殊効果は、未編集の場面の外観や雰囲気に一致しない場合がある。したがって、フィルムが現像される前に、このような不一致を修正できるように、劇場画面に映し出される動画をプレビューできることは非常に重要である。
【０００７】
ここで留意すべきは、ファイル１０６のデジタル画像ファイルを、劇場画面１１４に映し出されるデジタル動画のプレビュー１０８を生成するために使用することが可能であることである。一部の先行技術の技法は、参照テーブルを使用して、デジタル画像ファイル１０６の入力ピクセル値を、劇場画面１１４に映し出される映像に対応する出力ピクセル値に変換する。
【０００８】
通常、先行技術の技法は、経験的技法を使用して、参照テーブルを生成する。多くのカラーパッチを含む特殊なデジタル画像ファイルが作成されて、劇場画面に投影される。次に、投影された画像のある領域の色をデジタル画像ファイルの対応する領域の色と比較して、参照テーブルの対応するエントリ値を決定する。
【０００９】
残念ながら、これらの先行技術の技法には多くの不利な点がある。第１に、これらの技法は、参照テーブルを決定する前に、カラーパッチ画像を作成することが必要なので、時間がかかり、手間もかかる。第２に、フィルムの現像処理によって得られる結果は変化しやすく、参照テーブルの正確性に悪影響を与える可能性がある。第３に、測定された値は、特に、色が濃いパッチでは、装置雑音の影響を受けやすく、これも、参照テーブルの正確性を損なう可能性がある。最後に、これらの先行技術の技法は、通常、柔軟性に乏しい。つまり、動画ワークフローのステップのうちの１つでも変更すると、フィルム現像処理全体を繰り返して、変更したワークフローの影響を捕捉する新しい参照テーブルを生成しなければならない。
【発明の開示】
【発明が解決しようとする課題】
【００１０】
したがって、上記の欠点がない、劇場で投影されるように映し出す、デジタル画像コンテンツをコンピュータモニタ上でプレビューする方法及び装置が必要である。
【課題を解決するための手段】
【００１１】
本発明の一実施態様は、デジタル画像のコンテンツをプレビューするために使用可能な参照テーブルを生成するシステムを提供する。操作中、システムは、デジタル動画のワークフローの分析モデルを受信する。次に、システムは一連の入力ピクセル値を選択する。そして、システムは、一連の入力ピクセル値と分析モデルを使用して、一連の出力ピクセル値を決定する。最後に、システムは、一連の入力ピクセル値を一連の出力ピクセル値に関連付けることによって、参照テーブルを生成する。
【００１２】
本実施態様の変形では、分析モデルは、デジタル動画のワークフローの多様な段階を捕捉する多くのモデルを備える。これらのモデルは、レコーダモデル、ネガフィルムモデル、プリンタモデル、ポジフィルムモデル、プロジェクタモデルを含むことができる。レコーダモデルは、デジタル画像ファイルに含まれる視覚情報をカラーネガフィルムに記録するレコーダの動作を捕捉する。ネガフィルムモデルは、レコーダによってカラーネガフィルムが露光される際の、カラーネガフィルムの動作を捕捉する。プリンタモデルは、カラーネガフィルムに含まれている視覚情報をカラーポジフィルムに印刷するプリンタの動作を捕捉する。ポジフィルムモデルは、プリンタによってカラーポジフィルムが露光される際の、カラーポジフィルムの動作を捕捉する。最後に、プロジェクタモデルは、ポジフィルムに含まれる視覚情報を劇場画面に投影するフィルムプロジェクタの動作を捕捉する。
【００１３】
本実施態様のさらなる変形では、ネガフィルムモデルは、まず、分光色素濃度曲線、標準化されたピクセル値、及び標準化された濃度値を受信することによって決定されるネガフィルムの特性曲線を使用する。次に、システムは、分光色素濃度曲線を使用して、状態濃度値と色素量との間の関係を決定する。そして、システムは、ピクセル値と濃度値を使用して関係を較正することによって、ネガフィルムの特性曲線を決定する。
【００１４】
本実施態様のさらなる変形では、ポジフィルムモデルは、まず、分光色素濃度曲線、標準化されたピクセル値、及び標準化された濃度値を受信することによって決定されるポジフィルムの特性曲線を使用する。次に、システムは、分光色素濃度曲線を使用して、状態濃度値と色素量との間の関係を決定する。そして、システムは、ピクセル値と濃度値を使用して関係を較正することによって、ポジフィルムの特性曲線を判断する。
【００１５】
本実施態様の変形では、入力ピクセル値はＤＰＸ形式であり、出力ピクセル値はＣＩＥＬＡＢ色空間である。
【００１６】
本発明の一実施態様は、デジタル画像のプレビューを生成するシステムを提供する。操作中、システムは、デジタル画像ワークフローのための分析モデルを使用して生成された参照テーブルを受信する。次に、システムは、デジタル画像コンテンツを含む入力デジタル画像ファイルを受信する。そして、システムは、入力デジタル画像ファイルのピクセル値と参照テーブルを使用して、デジタル画像コンテンツのプレビューを生成する。
【００１７】
本発明の一実施態様は、デジタル画像のプレビューを生成するシステムを提供する。操作中、システムは、デジタル動画のワークフローのための分析モデルを受信する。次に、システムは、デジタル画像コンテンツを含む入力デジタル画像ファイルを受信する。そして、システムは、入力デジタル画像ファイルのピクセル値と分析モデルを使用して、デジタル画像コンテンツのプレビューを生成する。
【発明を実施するための最良の形態】
【００１８】
以下の説明は、当業者が本発明を利用できるようにするために示され、特定の用途及びその要件において提供されるものである。開示された実施形態に対する多様な変更は、当業者には容易に明らかになり、さらに、本明細書に定義される一般的な原理は、本発明の精神と範囲を逸脱することなく、他の実施形態及び用途に適用することができる。従って、本発明は、示された実施形態に限定されず、本明細書に開示される原理及び特徴に準じて最大限の範囲に許容される。
【００１９】
本詳細な説明で説明されるデータ構造とコードは、典型的に、コンピュータ可読記憶媒体上に保管されるが、コンピュータシステムによって使用されるコード及び／又はデータを格納可能な任意のデバイス又は媒体にすることができる。これには、ディスクドライブ、磁気テープ、ＣＤ（コンパクトディスク）及びＤＶＤ（デジタル多用途ディスク又はデジタルビデオディスク）などの磁気及び光学ストレージデバイス、及び（信号が変調される搬送波有り又は無しの）伝送媒体内に包含されるコンピュータ命令信号が含まれるが、これらに限定されない。たとえば、伝送媒体は、インターネットなどの通信ネットワークを含むことができる。
【００２０】
特性曲線
特性曲線は、フィルムに与えられる露光量と、フィルム処理後の対応する濃度との間の関係を表示する。濃度値は、典型的に、十分に制御された条件下で、感光計内で露光され、同様に制御された条件下で処理されるフィルムのテストストリップ上で測定される。
【００２１】
テストストリップの濃度範囲は、通常、ほとんどの画像撮影状況をシミュレートする。テストストリップ上で各ステップによって受ける露光量（測定単位：ルクス）を、露光時間（測定単位：秒）で乗じると、ルクス・秒の単位の露光値が得られる。露光値の対数（底１０）を横軸目盛上に表示すると、特性曲線が得られる。この曲線は、感度曲線、Ｄ  Ｌｏｇ  Ｈ曲線、又はＨＤ曲線(Hurter and Driffield curve)とも呼ばれる。通常、各カラーチャネルに１つなど、１つのカラーフィルムに多数の特性曲線が存在することに注意する。
【００２２】
図２は、本発明の実施形態によるカラーネガフィルムの特性曲線を説明する。
【００２３】
曲線２０２、２０４、２０６は、それぞれ、赤変調色素層（シアン）、緑変調色素層（マゼンタ）、及び青変調色素層（イエロー）の典型的な特性曲線である。
【００２４】
フィルムの種類に関係なく、全ての特性曲線は、典型的に、Ｄ−ｍｉｎ（最小濃度）、立ち上がり部、直線部分、肩部、及びＤ−ｍａｘ（最大濃度）の５つの領域を有する。
【００２５】
カラーネガでは、ベース濃度（又はＤ−ｍｉｎ）値は、ネガフィルムの濃度において変化を記録するために必要な最少の露光量に対応する。つまり、ベース濃度とは、定着処理済み（銀が全て取り除かれた後）の未露光で未現像のネガ又はポジフィルムの濃度である。露光及び現像によって発生す正味濃度は、通常、ベース濃度から測定される。
【００２６】
立ち上がり部は、露光が一定に変化すると傾斜（又は傾き）が緩やかに増加する特性曲線の部分である。直線部分は、傾斜が変化しない曲線部分である。最適な結果のためには、全ての有効な画像情報は直線部分に配置されるべきである。肩部は、傾斜が減少する、曲線部分である。最大濃度（Ｄ−ｍａｘ）を超える露光は、フィルムの濃度を増加させない。
【００２７】
状態濃度測定
上記のように露光して現像したテストフィルムの特性曲線は、特定の処理技術を使用して処理された特定のフィルムの「絶対的」又は「実」特性曲線である。
【００２８】
しかしながら、１つの濃度測定によって作成される値が別の濃度測定によって測定される値と同程度であることを確立することが必要な場合がある。状態濃度測定は、この標準化を実現するために使用される。状態濃度測定とは、特定の分光反応に準じる濃度計上で行われる測定である。
【００２９】
ポジフィルムの濃度は、通常、入念に照合されたフィルタの標準セットを使用して、状態Ａ濃度測定によって測定される。同様に、ネガフィルムの濃度は、通常、入念に照合されたフィルタの異なるセットを使用する状態Ｍ濃度測定によって測定される。典型的に、濃度計フィルタのセットは、濃度計の製造者によって提供される。
【００３０】
分光感度曲線
分光感度は、フィルムの感度範囲内のスペクトルに対する感光乳剤の相対感度を記述する。典型的に、カラーフィルムは、各カラーチャネルに対して１つの、複数の感度曲線を有する。
【００３１】
分光感度曲線は、特定の波長の放射（又は光）にカラーフィルムを露光して得られる感度を測定することによって、生成できる。光の波長は、典型的に、ナノメートルで表され、感度は、特定の濃度を作成するために必要な露光の逆数として表される（ｅｒｇｓ／ｃｍ2）。光の波長は、Ｘ軸上に表示され、感度の対数はＹ軸上に表示される。
【００３２】
図３は、本発明の実施形態に従った、カラーネガフィルムの分光感度曲線を説明している。
【００３３】
典型的な分光感度曲線３０２、３０４、３０６は、それぞれ、赤の感度（シアン―色素形成）、緑の感度（マゼンタ―色素形成）、青の感度（イエロー―色素形成）の感光乳剤層に対応する。
【００３４】
分光色素濃度曲線
露光したカラーフィルムの処理によって、典型的に、フィルムの３つの別々の層に、シアン、マゼンタ、イエローの色素画像が作成される。分光色素濃度曲線は、異なる波長でのそれぞれの色素による光の吸収を示す。分光色素濃度曲線は、通常、特定の表示及び測定光源に対して１．０の視覚上の中性濃度を形成するように標準化された色素を表す。光の波長（たとえば、ナノメートル単位）は、通常、Ｘ軸上に表示され、スペクトル濃度はＹ軸上に表示される。
【００３５】
理想的には、カラー色素は、その独自のスペクトル領域でのみを吸収すべきである。しかしながら、全てのカラー色素は、スペクトルの他の領域でのいくらかの波長を吸収することに留意されたい。
【００３６】
図４は、本発明の実施形態に従った、カラーネガフィルムの分光色素濃度曲線を説明している。
【００３７】
典型的な分光色素濃度曲線４０２、４０４、４０６は、それぞれ、シアン、マゼンタ、イエローの色素に対応する。
【００３８】
実験目標濃度（ＬＡＤ）
実験目標濃度（ＬＡＤ）印刷制御技法によって、フィルム処理機器（たとえば、プリンタやレコーダ）が画像において望ましい色を忠実に再現するように、フィルム処理機器を較正することができる。具体的には、ネガカラーフィルムでは、標準制御パッチが、通常のカメラの露光で典型的に取得される最小と最大の間の濃度を特定する。これらのカラーパッチを使用して、レコーダ又はプリンタなどのフィルム処理機器を較正することができる。
【００３９】
本発明の一実施形態は、ＬＡＤデータを使用して、カラーフィルムの特性曲線を較正する。
【００４０】
動画ワークフローのための分析モデル
図５は、本発明の一実施形態による動画ワークフローのための分析モデルを説明する模式図を示す。
【００４１】
動画ワークフローのための分析モデル５００は、動画ワークフローの多様なステップを、それぞれモデル化する、多くの構成要素を備える。
【００４２】
レコーダモデル５０２は、デジタル画像ファイルに含まれる視覚情報をカラーネガフィルムに記録する際の、レコーダの動作をモデル化する。典型的に、カラーレコーダは、デジタル画像ファイルのピクセル値に基づいて、赤、緑、青のレーザーを変調することによって、光を生成する。
【００４３】
一実施形態では、レコーダモデル５０２は、入力ピクセル値に基づいて、レコーダによって生成される光の分光特性を決定する。つまり、レコーダモデル５０２は、デジタル画像ファイルのピクセル値を使用して、レコーダによって生成される光のパワースペクトルを決定する。
【００４４】
図６は、本発明の一実施形態によるレコーダモデルを説明する。
【００４５】
デジタル画像ファイル６０２の各ピクセルは、赤、緑、青のカラーチャネル値に関連付けられる。これらのカラーチャネル値を使用して、赤のレーザー６０６、緑のレーザー６１０、青のレーザー６１４の変調量を決定することができる。具体的には、１次元の参照テーブル６０４、６０８、６１２を使用して、それぞれ、赤、緑、青のレーザーの変調量を決定する。ここで留意すべきは、これらの変調量が、レーザーの強度を決定し、これが、ネガフィルムの色素濃度に影響を及ぼすことである。一実施形態では、１次元の参照テーブルは、標準ピクセル値がネガフィルムの標準色素濃度を生成するように較正される。
【００４６】
ここで図５をもう一度参照すると、ネガフィルムモデル５０４は、レコーダによって露光される際の、カラーネガフィルムの動作をモデル化する。レコーダモデル５０２を使用して、カラーネガフィルムの光入射のパワースペクトルを決定したことを思い起こされたい。さらに、カラーネガフィルムは、その特性曲線に応じて、分光露光量に応答することも思い起こされたい。したがって、入射光のパワースペクトル及び特性曲線を使用して、色素濃度を決定することができる。さらに、ここで留意すべきは、各色素は、分光色素濃度曲線に関連付けられることである。したがって、色素濃度及び分光色素濃度曲線を使用して、カラーネガフィルムの分光透過率を決定することができる。
【００４７】
つまり、ネガフィルムモデル５０４は、レコーダの光のパワースペクトルに基づいて、ネガフィルムの分光透過率を決定する。ここで留意すべきは、デジタル画像ファイルの各ピクセルは、カラーネガフィルムのある領域に関連付けられており、つまり、分光透過率に関連付けられていることである。
【００４８】
図７は、本発明の一実施形態に従い、ネガフィルムモデルを説明する。
【００４９】
分光露光量７０２は、入射光のパワースペクトルを特定する。色素は、その分光感度曲線に応じて、分光露光量に応答することを思い起こされたい。したがって、シアン、マゼンタ、イエローの色素の有効露光量は、分光露光７０２を用いて、及び赤の分光感度７２４、緑の分光感度７２６、青の分光感度７２８を用いて、決定することができる。シアン色素量７１０、マゼンタ色素量７１２、イエロー色素量７１４は、次に、有効分光露光量を使用して、かつ、赤７０４、緑７０６、青７０８のそれぞれに対するカラーネガフィルムの特性曲線を使用して決定することができる。シアン７１０、マゼンタ７１２、イエロー７１４の色素量が分かると、カラーネガフィルムの分光透過率７２２は、ベース分光濃度７３０を使用して、及び、シアン７１６、マゼンタ７１８、イエロー７２０、それぞれの色素分光濃度曲線を使用して、決定することができる。
【００５０】
一実施形態では、レーザー用の１次元参照テーブル、すなわち６０４、６０８、６１２からの出力値を、それぞれ、シアン色素量７１０、マゼンタ色素量７１２、イエロー色素量７１４として直接使用することができるように、レコーダとネガフィルムを較正する。
【００５１】
図５をもう一度参照すると、プリンタモデル５０６は、カラーネガフィルムに含まれている視覚情報をカラーポジフィルムに印刷するプリンタの動作をモデル化する。具体的には、プリンタモデル５０６は、ネガフィルムを印刷するために使用されるプリンタの光のパワースペクトルを決定する。ここで留意すべきは、プリンタの光のパワースペクトルと、ネガフィルムの分光透過率がわかると、プリンタの光のパワースペクトルとネガフィルムの分光透過率の積を計算することによって、カラーポジフィルム上に入射する光のパワースペクトルを決定することができる。
【００５２】
図８は、本発明の一実施形態に従い、プリンタモデルを説明する。
【００５３】
０６、及び青分離器８０８を使用して、赤、緑、青の構成要素に分離される。ここで留意すべきは、色分離器は、二色性鏡のような、フィルタであることである。次に、これらのカラー成分は、赤のトリム８１０、緑のトリム８１２、及び青のトリム８１４を使用してさらに変調される。ここで留意すべきは、赤、緑、青のトリムは、プリントフィルムにＬＡＤ濃度を生成するように、較正することができる。最終的に、変調されたカラー成分が追加されて、プリンタの分光８１６が作成される。
【００５４】
ここで図５をもう一度参照すると、ポジフィルムモデル５０８は、プリンタの光に露光される際の、カラーポジフィルムの動作をモデル化する。プリンタモデル５０６とネガフィルムの分光透過率を使用して、カラーポジフィルムの光入射のパワースペクトルを決定したことを思い起こされたい。さらに、カラーポジフィルムは、その特性曲線に応じて、分光露光量に応答することを思い起こされたい。したがって、入射光のパワースペクトルと特性曲線とを使用して、色素濃度を決定することができる。ここで留意すべきは、各色素は、分光色素濃度曲線に関連付けられることである。したがって、色素濃度及び分光色素濃度曲線を使用して、カラーポジフィルムの分光透過率を決定することができる。
【００５５】
つまり、ポジフィルムモデル５０８は、入射光のパワースペクトルに基づいて、ポジフィルムの分光透過率を決定する。ここで留意すべきは、デジタル画像ファイルの各ピクセルは、カラーポジフィルムのある領域に関連付けられている、つまり、分光透過率に関連付けられていることである。
【００５６】
図９は、本発明の実施形態によるポジフィルムモデルを説明する。
【００５７】
分光露光量９０２は、入射光のパワースペクトルを特定する。色素は、その分光濃度曲線に応じて、分光露光量に応答することを思い起こされたい。したがって、シアン、マゼンタ、イエローの色素の有効露光量は、分光露光量９０２を使用して、及び赤の分光感度９２４、緑の分光感度９２６及び青の分光感度９２８を使用して、決定することができる。シアン色素量９１０、マゼンタ色素量９１２、イエロー色素量９１４は、次に、有効分光露光量と、赤９０４、緑９０６、青９０８それぞれのカラーポジフィルムの特性曲線を使用して、決定することができる。シアン９１０、マゼンタ９１２、イエロー９１４の色素量がわかると、カラーポジフィルムの分光透過率９２２は、ベース分光濃度９３０、及び、シアン９１６、マゼンタ９１８、イエロー９２０それぞれの色素分光濃度曲線を使用して、決定することができる。
【００５８】
もう一度図５を参照すると、投影モデル５１０は、ポジフィルムを劇場（又は映画館）画面に投影する際のフィルムプロジェクタの動作をモデル化する。具体的には、プロジェクタモデル５１０は、画像を劇場画面に表示するために使用されるプロジェクタの光のスペクトルパワー分布を決定する。ここで留意すべきは、プロジェクタの光のパワースペクトルと、ポジフィルムの分光透過率が分かると、劇場画面のスペクトルパワー分布を決定できることである。
【００５９】
つまり、プロジェクタモデル５１０は、カラーポジ（又はプリント）フィルムの分光透過率に基づいて、劇場画面上のスペクトルパワー分布を決定する。ここで留意すべきは、デジタル画像ファイルの各ピクセルは、劇場画面のある領域に関連付けられている、つまり、スペクトルパワー分布に関連付けられていることである。
【００６０】
図１０は、本発明の実施形態によるプロジェクタモデルを説明する。
【００６１】
プロジェクタの光のパワースペクトルは、熱ガラス係数１００４とレンズ係数１００６によってキセノンランプ１００２を変調して、フレア１００８の寄与を追加することによって、決定できる。次に、劇場画面１０１０のスペクトルパワー分布は、ポジカラーフィルム９２２の分光透過率とプロジェクタの光のパワースペクトルを使用して決定できる。
【００６２】
ここで留意すべきは、分析モデルは、特定の色空間又はファイル形式に限定されないことである。一実施形態では、入力デジタル画像ファイルはＤＰＸ形式であり、出力プレビューはＣＩＥＬＡＢ色空間である。しかしながら、当業者には、分析モデルに他のファイル形式及び／又は色空間も使用できることが明らかである。
【００６３】
特性曲線を判断するための処理
色素量の特性曲線（７０４、７０６、７０８、９０４、９０６、９０８）は、図７及び図９に示された分析モデルの重要な部分である。しかしながら、通常は、製造者から入手することはできない。したがって、これらの特性曲線は、入手可能な情報に基づいて決定することが必要である。
【００６４】
ここで留意すべきは、状態Ｍ（又は状態Ａ）特性曲線は、多くの場合製造者から入手可能であるが、特定の分光パターンを有する光源の露光レベル範囲での濃度値を特定することである。しかしながら、状態Ｍ（又は状態Ａ）特性曲線は実際の色素量を特定しない。ここで留意すべきは、任意の分光パターンの光源を使用してフィルムを露光する際に、フィルムの分光透過率を正確に決定できるように、実際の色素量を決定する必要があることに留意されたい。
【００６５】
本発明の一実施形態は以下の重要な洞察を使用する。状態Ｍ（又は状態Ａ）の特性曲線、分光色素濃度曲線、標準色素濃度を生成する標準ピクセル値を使用して、カラーチャンネルの特性曲線を決定できる。
【００６６】
図１１は、本発明の一実施形態による任意の分光パターンを持つ光源を使用して、フィルムが露光される際に、フィルムの色素濃度を正確に決定することが可能な特性曲線を決定するための処理を説明するフローチャートを示す。
【００６７】
処理は、状態Ｍ（又は状態Ａ）特性曲線、分光色素濃度曲線、標準ピクセル値、標準濃度値を受信することによって開始する（ステップ１１０２）。
【００６８】
次に、システムは、分光色素濃度曲線を使用して、状態濃度値と色素量との間の関係を決定する（ステップ１１０４）。
【００６９】
一実施形態において、状態濃度値と色素量との関係は、数式によって表現することができる。具体的には、一実施形態において、この関係は、色素濃度曲線を使用して、目標の状態Ｍ（又は状態Ａ）濃度値をもたらす色素量を求めることによって決定することができる。ここで留意すべきは、この段階での形式においては、関係はまだ較正されていない場合があるため、この関係は実際の露光レベルに基づいて実際の色素量を決定できない場合があることである。
【００７０】
システムは、次に、標準濃度値を生成する標準ピクセル値を使用して、関係を較正する（ステップ１１０６）。ここで留意すべきは、較正された関係は、決定しようとしていた特性曲線であることである。ここで、さらに留意すべきは、較正された関係は、実際の露光レベルに基づいて実際の色素量を決定できることである。
【００７１】
一実施形態において、システムは、フィルム製造者によって指定された標準の状態Ｍ（又は状態Ａ）ＬＡＤ濃度を生成する標準ＤＰＸピクセル値を使用して、関係を較正する。
【００７２】
分析モデルを使用して参照テーブルを生成する処理
図１２は、本発明の一実施形態による分析モデルを使用して、参照テーブルを生成するための処理を説明するフローチャートを示す。
【００７３】
処理は、デジタル動画ワークフローの分析モデルを受信することによって開始する（ステップ１２０２）。
【００７４】
次に、システムは、一連の入力ピクセル値を選択する（ステップ１２０４）。一実施形態においては、システムは、３２×３２×３２＝３２，７６８のピクセル値を選択するが、各ピクセル値は、３つのカラーチャネル値の組合せで、各カラーチャネル値は３２の値の範囲から選択される。
【００７５】
そして、システムは、一連の入力ピクセル値と分析モデルを使用して、一連の出力ピクセル値を決定する（ステップ１２０６）。
【００７６】
最後に、システムは、一連の入力ピクセル値を一連の出力ピクセル値に関連付けることによって、参照テーブルを生成する（ステップ１２０８）。
【００７７】
一実施形態では、入力ピクセル値はＤＰＸ形式であり、一方、出力ピクセル値はＣＩＥＬＡＢ色空間で符号化される。さらに、参照テーブルは、多くのデータ構造及び／又は形式を使用して、表現及び／又は格納できる。具体的には、一実施形態において、参照テーブルは、ＩＣＣ(International Color Consortium)プロファイルを使用して、表現及び／又は格納される。
【００７８】
一実施形態では、参照テーブルには、各次元に３２のインデックス値を持つ３次元のデータ構造に格納される３２，７６８要素がある。ここで留意すべきは、参照テーブルの各次元は、１つのカラーチャネルに対応できることである。
【００７９】
デジタル画像コンテンツをプレビューするための処理
図１３は、本発明の実施形態による参照テーブルを使用して、デジタル画像コンテンツをプレビューするための処理を説明するフローチャートを示す。
【００８０】
処理は、デジタル動画ワークフローのための分析モデルを使用して生成された参照テーブルを受信することによって開始する（ステップ１３０２）。
【００８１】
次に、システムは、デジタル画像コンテンツを含む入力デジタル画像ファイルを受信する（ステップ１３０４）。
【００８２】
そして、システムは、入力デジタル画像ファイルのピクセル値と前記参照テーブルを使用して、デジタル画像コンテンツのプレビューを生成する（ステップ１３０６）。
【００８３】
一実施形態においては、システムは、入力デジタル画像ファイルの１つのピクセル値に関連付けられた３つのカラーチャネルを使用して、３次元参照を実施することによって、プレビューを生成する。
【００８４】
ここで留意すべきは、システムは、まず参照テーブルを生成してから、参照テーブルを使用してプレビューを生成するのではなく、分析モデルを直接使用することによってプレビューを生成できることである。具体的には、システムは分析モデルを受信することができる。次に、システムは、入力デジタル画像ファイルのピクセル値と分析モデルを使用して、デジタル画像コンテンツのプレビューを生成することができる。
【００８５】
ここで最後に留意すべきは、本発明の実施形態は、フィルムの処理や濃度の測定など、時間がかかり手間がかかる手動作業を必要としなくてよいことである。さらに、分析モデルは、通常は変化やノイズを導入する測定機器及びフィルム処理技法を使用しないので、一貫性があり正確な結果を生成できる。最後に、分析モデルは柔軟性がある。つまり、動画ワークフローのステップのうちの１つが変更されると、分析モデル全体を変更する必要があるのではなく、分析モデルの対応する構成要素を変更しさえすればよい。
【００８６】
本発明の実施形態の上記の説明は、解説と説明の目的のみで提示された。これらは、全てを網羅すること、及び、本発明を開示された形式に包括又は限定することを意図するものではない。従って、当業者には、多数の変更や変形が明らかである。さらに、上記の開示は本発明を限定することを意図するものではない。本発明の範囲は添付の請求項により定義される。
【図面の簡単な説明】
【００８７】
【図１】デジタル動画ワークフローを説明するフローチャートを示す。
【図２】本発明の一実施形態によるカラーネガフィルムの特性曲線を説明する図。
【図３】本発明の一実施形態によるカラーネガフィルムの分光感度曲線を説明する図。
【図４】本発明の一実施形態によるカラーネガフィルムの分光色素濃度曲線を説明する図。
【図５】本発明の一実施形態による動画ワークフローのための分析モデルを説明する模式図を示す図。
【図６】本発明の一実施形態によるレコーダモデルを説明する図。
【図７】本発明の一実施形態によるネガフィルムモデルを説明する図。
【図８】本発明の一実施形態によるプリンタモデルを説明する図。
【図９】本発明の一実施形態によるポジフィルムモデルを説明する図。
【図１０】本発明の一実施形態によるプロジェクタモデルを説明する図。
【図１１】本発明の一実施形態による任意の分光パターンを持つ光源を使用して、フィルムが露光される際に、フィルムの色素濃度を正確に決定することが可能な特性曲線を決定するための処理を説明するフローチャートを示す図。
【図１２】本発明の一実施形態による分析モデルを使用して、参照テーブルを生成するための処理を説明するフローチャートを示す図。
【図１３】本発明の一実施形態による参照テーブルを使用して、デジタル動画コンテンツをプレビューするための処理を説明するフローチャートを示す図。
【図１】
2009526330.tif 000003
【図２】
2009526330.tif 000004
【図３】
2009526330.tif 000005
【図４】
2009526330.tif 000006
【図５】
2009526330.tif 000007
【図６】
2009526330.tif 000008
【図７】
2009526330.tif 000009
【図８】
2009526330.tif 000010
【図９】
2009526330.tif 000011
【図１０】
2009526330.tif 000012
【図１１】
2009526330.tif 000013
【図１２】
2009526330.tif 000014
【図１３】
2009526330.tif 000015
【国際調査報告】
2009526330.tif 000016
2009526330.tif 000017
2009526330.tif 000018